(57)【特許請求の範囲】
【請求項１】
コンクリートブロックの設置方法であって、
基礎コンクリートとコンクリートブロックとの間に、少なくともその一面におけるメッキ鋼板に対する滑り摩擦係数が、鋼材とコンクリートとの滑り摩擦係数より小さな滑り材を配置する配置工程と、
前記コンクリートブロックをほぼ水平方向に移動させる移動工程とを備え、
前記配置工程は、前記基礎コンクリートの上面にシート状の前記滑り材を前記一面が上面となるように設置する工程と、
前記滑り材の上面に板状の平板を設置する工程と、
前記平板上に前記コンクリートブロックを載置する工程とを含む、コンクリートブロックの設置方法。
【請求項２】
コンクリートブロックの設置方法であって、
基礎コンクリートとコンクリートブロックとの間に、少なくともその一面におけるメッキ鋼板に対する滑り摩擦係数が、鋼材とコンクリートとの滑り摩擦係数より小さな滑り材を配置する配置工程と、
前記コンクリートブロックをほぼ水平方向に移動させる移動工程とを備え、
前記配置工程は、前記基礎コンクリートの上面に板状の平板を設置する工程と、
前記平板の上面にシート状の前記滑り材を前記一面が面するように設置する工程と、
前記滑り材上に前記コンクリートブロックを載置する工程とを含む、コンクリートブロックの設置方法。
【請求項３】
前記平板は、前記コンクリートブロックの両端下方にレール状に配置され、
前記コンクリートブロックは、ガイドプレートにより前記平板に沿って移動する、請求項２記載のコンクリートブロックの設置方法。
【請求項４】
コンクリートブロックの設置方法であって、
基礎コンクリートとコンクリートブロックとの間に、少なくともその一面におけるメッキ鋼板に対する滑り摩擦係数が、鋼材とコンクリートとの滑り摩擦係数より小さな滑り材を配置する配置工程と、
前記コンクリートブロックをほぼ水平方向に移動させる移動工程とを備え、
前記配置工程は、前記基礎コンクリートの上面に板状の第１平板を設置する工程と、
前記第１平板の上面にシート状の前記滑り材を設置する工程と、
前記滑り材の上面に第２平板を設置する工程と、
前記第２平板上に前記コンクリートブロックを載置する工程とを含む、コンクリートブロックの設置方法。
【請求項５】
コンクリートブロックの設置方法であって、
基礎コンクリートとコンクリートブロックとの間に、少なくともその一面におけるメッキ鋼板に対する滑り摩擦係数が、鋼材とコンクリートとの滑り摩擦係数より小さな滑り材を配置する配置工程と、
前記コンクリートブロックをほぼ水平方向に移動させる移動工程とを備え、
前記滑り材の前記一面の滑り摩擦係数は、０．１〜０．４である、コンクリートブロックの設置方法。
【請求項６】
前記滑り材の前記一面の滑り摩擦係数は、０．１〜０．４である、請求項1から請求項４のいずれかに記載のコンクリートブロックの設置方法。
【請求項７】
コンクリートブロックの設置方法であって、
基礎コンクリートとコンクリートブロックとの間に、少なくともその一面におけるメッキ鋼板に対する滑り摩擦係数が、鋼材とコンクリートブロックとの滑り摩擦係数より少ない第１滑り材及び第２滑り材を、前記一面同士が接する状態で配置する配置工程と、
前記コンクリートブロックをほぼ水平方向に移動させる移動工程とを備えた、コンクリートブロックの設置方法。
【請求項８】
コンクリートブロックの設置方法であって、
コンクリートブロックと前記コンクリートブロックを支持するジャッキの支持体の上面との間に、少なくともその一面におけるメッキ鋼板に対する滑り摩擦係数が、鋼材とコンクリートとの滑り摩擦係数より小さな滑り材を配置する配置工程と、
前記コンクリートブロックを前記支持体上でほぼ水平方向に移動させる移動工程とを備えた、コンクリートブロックの設置方法。
【請求項９】
前記配置工程は、
前記支持体の上面にシート状の前記滑り材を前記一面が上面となるように設置する工程と、
前記滑り材の上面に板状の平板を設置する工程と、
前記平板上に前記コンクリートブロックを載置する工程とを含む、請求項８記載のコンクリートブロックの設置方法。
【請求項１０】
前記配置工程は、
前記支持体の上面に板状の平板を設置する工程と、
前記平板の上面にシート状の前記滑り材を前記一面が面するように設置する工程と、
前記滑り材上に前記コンクリートブロックを載置する工程とを含む、請求項８記載のコンクリートブロックの設置方法。
【請求項１１】
コンクリートブロックの設置方法であって、コンクリートブロックと前記コンクリートブロックを支持するジャッキの支持体の上面との間に、少なくともその一面におけるメッキ鋼板に対する滑り摩擦係数が、鋼材とコンクリートの滑り摩擦係数より少ない第１滑り材及び第２滑り材を、前記一面同士が接する状態で配置する配置工程と、
前記コンクリートブロックをほぼ水平方向に移動させる移動工程とを備えた、コンクリートブロックの設置方法。
【請求項１２】
前記配置工程は、前記第１滑り材又は前記第２滑り材の上面に更に平板を配置する工程を含む、請求項１１記載のコンクリートブロックの設置方法。
【請求項１３】
前記支持体は前記ジャッキの爪部を含み、前記滑り材の前記一面の滑り摩擦係数は、０．１〜０．４である、請求項８から請求項１２のいずれかに記載のコンクリートブロックの設置方法。
【発明の詳細な説明】
【０００１】
【発明の属する技術分野】
この発明はコンクリートブロックの設置方法及び設置器具に関し、特にボックスカルバート等のプレキャストコンクリートブロックの据付け及び水平移動に関わるコンクリートブロックの設置方法に関するものである。
【０００２】
【従来の技術】
図９は特開２０００−２７３９３８号公報に開示されているコンクリートブロックの設置方法の概略図であり、図１０は図９のＸ−Ｘラインの断面図であり、図１１は図１０の“Ｙ”部分の拡大図である。
【０００３】
これらの図を参照して、プレキャストコンクリートブロックの１つである中央が空洞のボックスカルバート６１ａ〜ボックスカルバート６１ｃが順次基礎コンクリート１９上に連結された状態に設置されている。ワイヤ１８にて係止されて吊り上げられたボックスカルバート６１ｄは、上方からボックスカルバート６１ｃの近くに吊り下ろされる。そして水平方向の矢印に示す方向に引寄せられて、ボックスカルバート６１ａ〜ボックスカルバート６１ｃのように連結状態に移動する。
【０００４】
この水平移動時における基礎コンクリート１９との摩擦抵抗を低減するためにボックスカルバート６１の下部は特殊形状を有している。すなわち、図１１に示されているように、ボックスカルバート６１の下面には、下方に突き出る突起部６２が形成され、突起部６２の表面には鋼板６３が取り付けられている。一方、基礎コンクリート１９にはＩ型鋼よりなるガイドレール６５が埋め込まれ、その上方面に複数の鋼球６６が配置されている。
【０００５】
このようにボックスカルバート６１及び基礎コンクリート１９を形成した状態で、突起部６２がガイドレール６５上に位置するようにボックスカルバート６１を基礎コンクリート１９上に設置する。この状態でボックスカルバート６１を水平方向に移動させると、鋼球６６のベアリング効果によって、水平方向への移動に対する抵抗が軽減され、スムーズにボックスカルバート６１同士を連結することができる。
【０００６】
通常ボックスカルバート６１は連結状態に引寄せられた後、これらの相互のシールを確保するために更に相互に引寄せる締め固め作業がなされ、これらは一体化することになる。その後ボックスカルバート６１の下部と基礎コンクリート１９の上面との間に流動性の生コンクリートを流し込むことによって、ボックスカルバート６１を基礎コンクリート１９に固定する。
【０００７】
【発明が解決しようとする課題】
上記のような従来のコンクリートブロックの設置方法であれば、上述のようにボックスカルバート６１の下部に突起部６２を設ける等してボックスカルバート６１を特殊形状に仕上げる必要がある。そのため、通常のボックスカルバート６１に比べてコスト的に不利なものとなる。
【０００８】
又、鋼球６６を配置するためにガイドレール６５を基礎コンクリート１９に埋め込む必要があるため、その作業に手間がかかり結果としてコストも増大する。
【０００９】
この発明は上記のような課題を解決するためになされたもので、一般形状のコンクリートブロックにも適用でき、スムーズな水平移動を可能とするコンクリートブロックの設置方法を提供することを目的とする。
【００１０】
【課題を解決するための手段】
上記の目的を達成するために、請求項１記載の発明は、コンクリートブロックの設置方法であって、基礎コンクリートとコンクリートブロックとの間に、少なくともその一面におけるメッキ鋼板に対する滑り摩擦係数が、鋼材とコンクリートとの滑り摩擦係数より小さな滑り材を配置する配置工程と、コンクリートブロックをほぼ水平方向に移動させる移動工程とを備え、配置工程は、基礎コンクリートの上面にシート状の滑り材を一面が上面となるように設置する工程と、滑り材の上面に板状の平板を設置する工程と、平板上にコンクリートブロックを載置する工程とを含むものである。
【００１１】
このように構成すると、コンクリートブロックを移動する際、滑り材との接触面の摩擦係数が移動によって生じる接触面の摩擦係数の中で一番小さくなる。そして、移動工程においてコンクリートブロックは平板とともに移動する。
【００１４】
請求項２記載の発明は、コンクリートブロックの設置方法であって、基礎コンクリートとコンクリートブロックとの間に、少なくともその一面におけるメッキ鋼板に対する滑り摩擦係数が、鋼材とコンクリートとの滑り摩擦係数より小さな滑り材を配置する配置工程と、コンクリートブロックをほぼ水平方向に移動させる移動工程とを備え、配置工程は、基礎コンクリートの上面に板状の平板を一面が面するように設置する工程と、平板の上面にシート状の滑り材を設置する工程と、滑り材上にコンクリートブロックを載置する工程とを含むものである。
【００１５】
このように構成すると、コンクリートブロックを移動する際、滑り材との接触面の摩擦係数が移動によって生じる接触面の摩擦係数の中で一番小さくなる。そして、移動工程において滑り材はコンクリートブロックとともに移動する。
【００１６】
請求項３記載の発明は、請求項２記載の発明の構成において、平板はコンクリートブロックの両端下方にレール状に配置され、コンクリートブロックは、ガイドプレートにより平板に沿って移動するものである。
【００１７】
このように構成すると、コンクリートブロックの移動は平板が基準となる。
【００２０】
請求項４記載の発明は、コンクリートブロックの設置方法であって、基礎コンクリートとコンクリートブロックとの間に、少なくともその一面におけるメッキ鋼板に対する滑り摩擦係数が、鋼材とコンクリートとの滑り摩擦係数より小さな滑り材を配置する配置工程と、コンクリートブロックをほぼ水平方向に移動させる移動工程とを備え、配置工程は、基礎コンクリートの上面に板状の第１平板を設置する工程と、第１平板の上面にシート状の滑り材を設置する工程と、滑り材の上面に第２平板を設置する工程と、第２平板上にコンクリートブロックを載置する工程とを含むものである。
【００２１】
このように構成すると、コンクリートブロックを移動する際、滑り材との接触面の摩擦係数が移動によって生じる接触面の摩擦係数の中で一番小さくなる。そして、滑り材は第１平板と第２平板との間に挟まれた状態になる。
請求項５記載の発明は、コンクリートブロックの設置方法であって、基礎コンクリートとコンクリートブロックとの間に、少なくともその一面におけるメッキ鋼板に対する滑り摩擦係数が、鋼材とコンクリートとの滑り摩擦係数より小さな滑り材を配置する配置工程と、コンクリートブロックをほぼ水平方向に移動させる移動工程とを備え、滑り剤の摩擦係数は、０．１〜０．４としたものである。
【００２２】
請求項６記載の発明は、請求項１から請求項４のいずれかに記載の発明の構成において、滑り材の一面の滑り摩擦係数は、０．１〜０．４としたものである。
【００２３】
請求項７記載の発明は、コンクリートブロックの設置方法であって、基礎コンクリートとコンクリートブロックとの間に、少なくともその一面におけるメッキ鋼板に対する滑り摩擦係数が、鋼材とコンクリートとの滑り摩擦係数より小さな第１滑り材及び第２滑り材を、その一面同士が接する状態で配置する配置工程と、コンクリートブロックをほぼ水平方向に移動させる移動工程とを備えたものである。
【００２４】
このように構成すると、第１滑り材と第２滑り材の接触面で滑り動作が生じる。
【００２５】
請求項８記載の発明は、コンクリートブロックの設置方法であって、コンクリートブロックとコンクリートブロックを支持するジャッキの支持体の上面との間に、少なくともその一面におけるメッキ鋼板に対する滑り摩擦係数が、鋼材とコンクリートとの滑り摩擦係数より小さな滑り材を配置する配置工程と、コンクリートブロックを支持体上でほぼ水平方向に移動させる移動工程とを備えたものである。
【００２６】
このように構成すると、ジャッキで支持された状態でコンクリートブロックを移動させる際、滑り材と接触面の摩擦係数が移動によって生じる接触面の摩擦係数の中で１番小さくなる。
【００２７】
請求項９記載の発明は、請求項８記載の発明の構成において、配置工程は、支持体の上面にシート状の滑り材を一面が上面となるように設置する工程と、滑り材の上面に板状の平板を設置する工程と、平板上にコンクリートブロックを載置する工程とを含むものである。
【００２８】
このように構成すると、移動工程においてコンクリートブロックは平板とともに移動する。
【００２９】
請求項１０記載の発明は、請求項８記載の発明の構成において、配置工程は、支持体の上面に板状の平板を設置する工程と、平板の上面にシート状の滑り材を一面が面するように設置する工程と、滑り材上にコンクリートブロックを載置する工程とを含むものである。
【００３０】
このように構成すると、移動工程において滑り材はコンクリートブロックとともに移動する。
【００３１】
請求項１１記載の発明は、コンクリートブロックの設置方法であって、コンクリートブロックとコンクリートブロックを支持するジャッキの支持体の上面との間に、少なくともその一面におけるメッキ鋼板に対する滑り摩擦係数が、鋼材とコンクリートとの滑り摩擦係数より少ない第１滑り材及び第２滑り材を、一面同士が接する状態で配置する配置工程と、コンクリートブロックをほぼ水平方向に移動させる移動工程とを備えたものである。
【００３２】
このように構成すると、ジャッキで支持した状態で第１滑り材と第２滑り材の接触面で滑り動作が生じる。
【００３３】
請求項１２記載の発明は、請求項１１記載の発明の構成において、配置工程は、第１滑り材又は第２滑り材の上面に更に平板を配置する工程を含むものである。
【００３４】
このように構成すると、第１滑り材と第２滑り材の接触面で安定した滑り動作が生じる。
【００３５】
請求項１３記載の発明は、請求項８から請求項１２のいずれかに記載の発明の構成において、支持体はジャッキの爪部を含み、滑り材の一面の滑り摩擦係数を、０．１〜０．４としたものである。
【００３６】
【発明の効果】
以上説明したように、請求項１記載の発明は、滑り材との接触面の摩擦係数が一番小さくなるため、水平方向へのコンクリートブロックの移動に要する力が低減する。又、滑り材を配置するだけでよいため、効率的なコンクリートブロックの設置及び調整が可能となる。更に、コンクリートブロックは平板を介して滑り材上に載置されるため、コンクリートブロックの底面状態に関わらず滑り材の滑り機能が安定して発揮される。又、滑り材に対する接触面積が確定するため、コンクリートブロックの移動に要する力を予測することが容易となる。
【００３８】
請求項２記載の発明は、滑り材との接触面の摩擦係数が一番小さくなるため、水平方向へのコンクリートブロックの移動に要する力が低減する。又、滑り材を配置するだけでよいため、効率的なコンクリートブロックの設置及び調整が可能となる。更に、滑り材はコンクリートブロックとともに移動するため、滑り材の使用が移動範囲に対して少なくてすみ効率的な設置方法となる。
【００３９】
請求項３記載の発明は、請求項２記載の発明の効果に加えて、コンクリートブロックの移動は平板が基準となるため、平板を所望位置に設置することにより正確なコンクリートブロックの移動が可能となる。
【００４１】
請求項４記載の発明は、滑り材との接触面の摩擦係数が一番小さくなるため、水平方向へのコンクリートブロックの移動に要する力が低減する。又、滑り材を配置するだけでよいため、効率的なコンクリートブロックの設置及び調整が可能となる。更に、滑り材は第１平板と第２平板との間に挟まれた状態となるため、滑り材に加わる力が安定するのでスムーズなコンクリートブロックの移動が可能となる。
請求項５記載の発明は、滑り材との接触面の摩擦係数が一番小さくなるため、水平方向へのコンクリートブロックの移動に要する力が低減する。又、滑り材を配置するだけでよいため、効率的なコンクリートブロックの設置及び調整が可能となる。更に、滑り材の一面の滑り摩擦係数は０．１〜０．４の範囲であるため、コンクリートブロックの水平移動に要する力が低減するとともに、その力を滑り材に対する接触面積に応じて算出することが可能となる。
【００４２】
請求項６記載の発明は、請求項１から請求項４のいずれかに記載の発明の効果に加えて、滑り材の一面の滑り摩擦係数は０．１〜０．４の範囲であるため、コンクリートブロックの水平移動に要する力が低減するとともに、その力を滑り材に対する接触面積に応じて算出することが可能となる。
【００４３】
請求項７記載の発明は、第１滑り材と第２滑り材との接触面で滑り動作が生じるため、コンクリートブロックの水平移動に要する力を極めて低減できるとともに、安定した移動が可能となる。
【００４４】
請求項８記載の発明は、滑り材との接触面の摩擦係数が１番小さくなるため、水平方向へのコンクリートブロックの移動に要する力が低減する。又、ジャッキの支持体の上に滑り材を配置するだけでジャッキの支持状態での調整ができるため、効率的なコンクリートブロックの設置及び調整が可能となる。
【００４５】
請求項９記載の発明は、請求項８記載の発明の効果に加えて、コンクリートブロックは平板を介して滑り材上に配置されるため、コンクリートブロックの底面状態に関わらず滑り材の滑り機能が安定して発揮される。又、滑り材に対する接触面積が確定するため、コンクリートブロックの移動に要する力を予測することが容易となる。
【００４６】
請求項１０記載の発明は、請求項８記載の発明の効果に加えて、滑り材はコンクリートブロックとともに移動するため、滑り材の使用が移動範囲に対して少なくて済み効率的な設置方法となる。
【００４７】
請求項１１記載の発明は、第１滑り材と第２滑り材との接触面で滑り動作が生じるため、コンクリートブロックの水平移動に要する力を極めて低減できるとともに、安定した移動が可能となる。又、ジャッキの支持状態での調整ができるため、効率的なコンクリートブロックの設置が可能となる。
【００４８】
請求項１２記載の発明は、請求項１１記載の発明の効果に加えて、より安定したコンクリートブロックの滑り動作が確保される。
【００４９】
請求項１３記載の発明は、請求項８から請求項１２のいずれかに記載の発明の効果に加えて、滑り材の一面の滑り摩擦係数は０．１〜０．４の範囲であるため、コンクリートブロックの水平移動に要する力が低減されるとともに、その力を滑り材に対する接触面積に応じて算出することが可能となる。又、ジャッキの爪部に支持された状態でコンクリートブロックの所望の水平移動ができるため、安定した作業が可能となる。
【００５０】
【発明の実施の形態】
図１はこの発明の第１の実施の形態によるコンクリートブロックの設置方法を示す概略図であり、図２は図１のＩＩ−ＩＩラインの断面図であり、図３は図２の“Ｘ”部分の拡大図であり、更に、図４は図３のＩＶ−ＩＶラインの断面図である。
【００５１】
これらの図を参照して、基礎コンクリート１９の上に長尺シート状の滑り材２２が設置されている。滑り材２２の上面におけるメッキ鋼板に対する滑り摩擦係数（動摩擦係数）は、鋼材とコンクリートとの間の摩擦係数より小さな値となっており、具体的にはその値は０．１〜０．４となっている。滑り材２２は具体的にはステンレスグラフファイト（ステンレス板の表面に形成された複数の凹所に黒鉛を主体とした固体潤滑材を埋め込んだもの）や四弗化エチレン、或いは四弗化エチレンにグラスファイバーを加えたもの等を用いることができる。尚、四弗化エチレンよりなる滑り材２２であれば、その下面も上面と同様の滑り摩擦係数を有しているが、この設置方法においては少なくとも滑り材２２の上面のみが上記のような値の摩擦係数を有していれば良い。
【００５２】
滑り材２２の上面には板状の鉄板よりなる平板２１が設置されている。そして平板２１の上には上方から吊り下ろされたボックスカルバート１６が載置されることになる。
【００５３】
この状態でボックスカルバート１６に対して水平方向に力が加わると、平板２１はボックスカルバート１６とともに移動し、滑り材２２の上を滑ることになる。すなわち、この状態においてはこの移動に伴って生じる摩擦力は、平板２１と滑り材２２との間で最小となるように構成されている。具体的には、ボックスカルバート１６の下面と平板２１の上面との間で生じる摩擦力や、滑り材２２の下面と基礎コンクリート１９の上面との間で生じる摩擦力に比べて、平板２１の下面と滑り材２２の上面との間に生じる摩擦力が小さくなるように設定されている。
【００５４】
この実施の形態においては、ボックスカルバート１６の移動範囲の下方において滑り材２２が配置されているため、平板２１はボックスカルバート１６の下面に対して所定間隔で配置すれば良いことになる。
【００５５】
次に、この実施の形態におけるコンクリートブロックの設置方法の手順について説明する。
【００５６】
まず、吊り下ろされ水平方向に移動させるボックスカルバート１６の移動領域における基礎コンクリート１９の上に、滑り材２２を配置する。そして吊り下ろされるボックスカルバート１６の下方であって滑り材２２の上面に、所定間隔で平板２１を配置する。
【００５７】
次に配置された平板２１の上にワイヤ１８を介してボックスカルバート１６を吊り下ろす。そして図示しないウィンチやワイヤ等を用いてボックスカルバート１６を水平方向に移動させる。このとき図４に示すように、ボックスカルバート１６は平板２１とともに滑り材２２の上面をスムーズに滑り、その移動に対して必要な力が軽減する。これによって、スムーズなボックスカルバート１６の移動作業が可能となる。このとき滑り材２２は、基礎コンクリート１９に対して移動することはなく、配置された状態の位置を保持する。
【００５８】
このようにして、ボックスカルバート１６ａ〜ボックスカルバート１６ｄは順次引寄せられて連結状態となり、更にこれらの連結部のシールを確保するために締め固めが行われる。この締め固め作業においても滑り材２２の作用によってボックスカルバート１６はスムーズに移動する。
【００５９】
ボックスカルバート１６ａ〜ボックスカルバート１６ｄの締め固めが完了すると、その状態でボックスカルバート１６ａ〜ボックスカルバート１６ｄの下部と基礎コンクリート１９の上面との間に流動性を有する生コンクリート又はモルタルが流し込まれる。これによってボックスカルバート１６ａ〜ボックスカルバート１６ｄは、平板２１及び滑り材２２とともに基礎コンクリート１９上に固定されてその据付作業が終了する。
【００６０】
図５はこの発明の第２の実施の形態によるコンクリートブロックの設置方法を示す概略図であって、先の実施の形態による図４に対応した図である。
【００６１】
図を参照して、この実施の形態においては、基礎コンクリート１９の上にはレール状に配置された板状の平板２５が設置されている。そして平板２５の上面には上述した滑り材２２が、その下面が上記の所定の摩擦係数を有する面となるように所定間隔で配置されている。そして、滑り材２２上にボックスカルバート１６が載置される。この状態でボックスカルバート１６に対して水平方向に力を加えると、滑り材２２と平板２５との接触面に生じる摩擦力が他の部位に比べて一番小さくなるため、滑り材２２はボックスカルバート１６とともに平板２５上をスムーズに移動することになる。
【００６２】
この実施の形態においては滑り材２２はボックスカルバート１６とともに移動するため、先の実施の形態のようにボックスカルバート１６の移動範囲において滑り材２２を全面に配置する必要がない。そのため必要な滑り材２２を低減することが可能となる。又、平板２５は基礎コンクリート１９の形成時に併せて埋め込むように設置することも可能であるため、より安定した状態で平板２５の上を滑り材２２を介してボックスカルバート１６を移動させることが可能となる。
【００６３】
又、この場合、平板２５の側面に沿って移動するようなガイドプレート２６をボックスカルバート１６の側面等に取付けることによって、ボックスカルバート１６を平板２５に沿ったルートで移動させることが容易となる。そしてこのガイドプレート２６をボックスカルバート１６の両側側面に取り付けておき、その内方に一対の平板２５を配置するようにすれば、移動軌道が振れることなくより安定した水平移動が可能となる。
【００６４】
図６はこの発明の第３の実施の形態によるコンクリートブロックの設置方法の概略構成を示した図である。
【００６５】
図を参照して、この実施の形態においては、プレキャストコンクリートブロック３１を直接滑り材２２上に載置せずに、プレキャストコンクリートブロック３１の下面に取り付けられた高さ調整金具３３を介して滑り材２２上に設置している。滑り材２２はその上面が上記の所定の摩擦係数を有する面となるように設置されている。尚、高さ調整金具３３はその中央のナットを回転させることによってその両側に螺合するボルトの突出し長さを変化させる機能を有するものである。又、高さ調整金具３３は上下を逆転させて使用しても良く、或いはナットに螺合する上方のボルトを下方のそれと同一の形状としたものを用いても良い。
【００６６】
そこで、この実施の形態においては、プレキャストコンクリートブロック３１を基礎コンクリート１９から所定の高さに調整した後、プレキャストコンクリートブロック３１の下面と滑り材２２の上面との間隔に合うように高さ調整金具３３を調整して設置する。このようにして高さ調整金具３３の下方のボルトの平頭３４が、土台３７上の滑り材２２上に当接される。
【００６７】
高さ調整金具３３によるプレキャストコンクリートブロック３１の基礎コンクリート１９に対する高さ調整が終了すると、プレキャストコンクリートブロック３１を水平方向に力を加えて所定量移動させる。この場合、プレキャストコンクリートブロック３１の下面に取り付けられた高さ調整金具３３の平頭３４の下面が滑り材２２の上面に対して滑ることによって、容易にプレキャストコンクリートブロック３１は水平方向に移動する。そして、滑り材２２の下面と土台３７の上面との間で生じる摩擦力は、平頭３４の下面と滑り材２２の上面との間で生じる摩擦力に比べて大きいため、滑り材２２の土台３７に対する位置はそのまま保持される。
【００６８】
このようにして、プレキャストコンクリートブロック３１の高さ方向及び水平方向の調整及び移動が完了すると、プレキャストコンクリートブロック３１の下部と基礎コンクリート１９の上面との間に生コンクリート又はモルタルが流し込まれ、プレキャストコンクリートブロック３１はその状態で基礎コンクリート１９に固定され、据付作業が完了する。尚、この実施の形態においては土台３７は必ずしも形成する必要がなく、滑り材２２を直接基礎コンクリート１９上に配置するように構成しても良い。
【００６９】
図７はこの発明の第４の実施の形態によるコンクリートブロックの設置方法の概略構成を示した図である。
【００７０】
図を参照して、この実施の形態においては先の第３の実施の形態で示した高さ調整金具３３の平頭３４を直接滑り材２２の上に載置しない点が異なっている。すなわち、この実施の形態においては、高さ調整金具３３の平頭３４は鉄板よりなる第２平板４１に溶接固定されている。
【００７１】
一方、滑り材２２は基礎コンクリート１９に形成された土台３７上に直接設置されずに、土台３７上に載置された鉄板よりなる第１平板３９の上面に設置されている。すなわち、滑り材２２は第１平板３９の上面と第２平板４１の下面との間で挟まれた状態にセットされることになる。ここで、滑り材２２の上記の所定の摩擦係数を有する面は、上面又は下面のいずれであっても良い。その面は必ず第１平板３９又は第２平板４１に面した状態となるからである。
【００７２】
次に、先の実施の形態と同様にプレキャストコンクリートブロック３１の基礎コンクリート１９に対する高さ方向の調整が終了すると、プレキャストコンクリートブロック３１に水平方向の力を加えて所定量水平方向に移動させる。このときこの移動に伴って高さ調整金具３３の下部に固定されている第２平板４１はともに水平移動する。この場合第２平板４１の下面全体及び第１平板３９の上面全体で滑り材２２を押圧しているため、滑り材２２の下面に対する第１平板３９又は滑り材２２の上面に対する第２平板４１の滑りはスムーズに確保される。
【００７３】
尚、滑り材２２の下面と第１平板３９の上面との間に生じる摩擦力を、滑り材２２の上面と第２平板４１の下面との間で生じる摩擦力と同等に設定しておけば、第１平板３９と第２平板４１とは滑り材２２を介して相対的に水平方向に移動することになり、プレキャストコンクリートブロック３１のよりスムーズな水平移動が可能となる。
【００７４】
又、上記の実施の形態において、滑り材２２の所定の摩擦係数を有する面を下面側とし、第２平板４１を取り除いて高さ調整金具３３の平頭３４を滑り材２２の上面に直接当接するように構成しても良い。この場合、滑り材２２は高さ調整金具３３と共に移動して、第１平板３９との間でスムーズに滑ることになる。
【００７５】
図８はこの発明の第５の実施の形態によるコンクリートブロックの設置方法の概略構成を示した図である。
【００７６】
図を参照して、先の第３の実施の形態によるものと異なる点は、高さ調整金具３３の平頭３４の下面と基礎コンクリート１９上に形成された土台３７の上面との間に配置される滑り材が、１枚ではなく第１滑り材４３及び第２滑り材４４よりなる２枚の滑り材で構成されている点である。第１滑り材４３及び第２滑り材４４は、いずれも上記の所定の摩擦係数を有する面を保有し、これらの面が互いに接するように配置されている。
【００７７】
すなわち、この実施の形態においては、第１滑り材４３の下面と第２滑り材４４の上面との間で生じる摩擦力は、第１滑り材４３の上面と高さ調整金具３３の平頭３４の下面との間で生じる摩擦力及び第２滑り材４４の下面と土台３７の上面との間で生じる摩擦力のいずれよりも極めて小さくなるように設定されている。従って、この構成によれば、プレキャストコンクリートブロック３１の重量が相当大きなものであっても、その水平移動は小さな力によって可能となり、第１滑り材４３の下面と第２滑り材４４の上面との間の滑りによってスムーズに確保されることになる。
【００７８】
尚、上記の実施の形態において、重ね合わせた状態の第１滑り材４３及び第２滑り材４４の上面及び下面を２枚の鋼板等の平板で挟み、その上下にコンクリートブロック３１及び基礎コンクリート１９が配置されるように構成しても良い。これによって、第１滑り材４３及び第２滑り材４４同士の滑り効果がより安定した状態で発揮される。
【００７９】
図１２はこの発明の第６の実施の形態によるコンクリートブロックの設置方法を示す概略図である。
【００８０】
図を参照して、この実施の形態においては、ボックスカルバート１６は基礎コンクリート１９の上に載置された油圧ジャッキ５０によって支持された状態で水平方向への調整がされるものである。ここで、油圧ジャッキ５０は基礎コンクリート１９上に載置されるベース体５４と、ベース体５４上に取付けられた油圧ピストン５１と、油圧ピストン５１に対してピストンロッドを介して接続され、上下方向に移動自在な支持体５５と、ベース体５４に対して回動自在に取付けられ、これを上下に移動させることによって油圧ピストン５１を介して支持体５５を上下させるハンドレバー５２とから構成されている。支持体５５は横方向に突出する爪部５６及び支持体５５の上面となる頭部５７のいずれかによって重量物を支持して、これを上下方向に移動できるように構成されている。
【００８１】
この実施の形態においては、支持体５５の爪部５６の上面に上述した滑り材２２が、その下面が上記の所定の摩擦係数を有する面となるように配置されている。そして滑り材２２上にボックスカルバート１６のコーナー部下面が配置される。このようにして油圧ジャッキ５０によって支持されたボックスカルバート１６に対して水平方向に力を加えると、滑り材２２と油圧ジャッキ５０の爪部５６との接触面に生じる摩擦力が他の部位に比べて１番小さくなるため、滑り材２２はボックスカルバート１６とともに爪部５６上をスムーズに移動することになる。
【００８２】
このようにして、ボックスカルバート１６の高さ調整を油圧ジャッキ５０でしながら、水平方向の微調整を滑り材２２を介することによって容易に行うことが可能となる。
【００８３】
図１３はこの発明の第７の実施の形態によるコンクリートブロックの設置方法を示す概略図であって、図１２で示した実施の形態によるものに対応した図である。
【００８４】
図を参照して、先の第６の実施の形態によるものと異なる点は、油圧ジャッキ５０の爪部５６とボックスカルバート１６のコーナー部下面との間に配置される滑り材が、１枚ではなく第１滑り材４３及び第２滑り材４４よりなる２枚の滑り材で構成されている点である。第１滑り材４３及び第２滑り材４４は、いずれも上記の所定の摩擦係数を有する面を保有し、これらの面が互いに接するように配置されている。
【００８５】
すなわち、この実施の形態においては、第１滑り材４３の下面と第２滑り材４４の上面との間で生じる摩擦力は、第１滑り材４３の上面とボックスカルバート１６の下面との間で生じる摩擦力及び第２滑り材４４の下面と油圧ジャッキ５０の爪部５６の上面との間で生じる摩擦力のいずれよりも極めて小さくなるように設定されている。従って、この構成によれば、ボックスカルバート１６の重量が相当大きなものであっても、油圧ジャッキ５０によって支持した状態でその水平移動は小さな力によって可能となる。
【００８６】
図１４はこの発明の第８の実施の形態によるコンクリートブロックの設置方法を示す概略図であって、先の第６の実施の形態を示す図１２に対応した図である。
【００８７】
図を参照して、先の第６の実施の形態によるものと異なる点は、滑り材２２の上面とボックスカルバート１６のコーナー下面との間に平板２１が挿入されている点である。滑り材２２の上面は上記の所定の摩擦係数を有している。これによって、滑り材２２の上面と平板２１の下面との間で生じる摩擦力は、平板２１の上面とボックスカルバート１６の下面との間で生じる摩擦力及び滑り材２２の下面と油圧ジャッキ５０の爪部５６の上面との間で生じる摩擦力のいずれよりも小さくなるように設定されている。これによってボックスカルバート１６は平板２１と一体となって、油圧ジャッキ５０によって支持された状態で滑り材２２の上をスムーズに水平方向に移動することが可能となる。
【００８８】
図１５はこの発明の第９の実施の形態によるコンクリートブロックの設置方法を示す概略図であって、先の第７の実施の形態を示す図１３に対応した図である。
【００８９】
図を参照して、先の第７の実施の形態によるものと異なる点は、第１滑り材４３の上面とボックスカルバート１６の下面との間に平板２１が設置されている点である。これによって第１滑り材４３及び第２滑り材４４は平板２１及び爪部５６によってその上下が挟まれることになり、第１滑り材４３と第２滑り材４４との間の滑らかな滑りをよりスムーズに発揮させることが可能となる。
【００９０】
図１６はこの発明の第１０の実施の形態によるコンクリートブロックの設置方法を示す概略図であって、先の第６の実施の形態を示す図１２に対応した図である。
【００９１】
図を参照して、先の第６の実施の形態によるものと異なる点は、油圧ジャッキ５０の爪部５６の上面と滑り材２２の下面との間に平板５９が配置されている点である。一般的に油圧ジャッキ５０の爪部５６はその上面の面積は小さいため、滑り材２２の下面との接触面積を充分広く取れない場合があり得る。そこで爪部５６の上面により大きな平板５９を配置してその上に滑り材２２を配置するようにすれば、滑り材２２の下面による滑り効果が安定して発揮されることになる。
【００９２】
尚、この実施の形態による平板５９の爪部５６上への配置は、上記の第６の実施の形態によるもののみならず、第７〜第９の実施の形態による構成に対しても同様に適応でき、安定した効果を発揮し得ることになる。
【００９３】
又、上記の第６の実施の形態から第１０の実施の形態においてはボックスカルバート１６は油圧ジャッキ５０の爪部５６を介して支持されているが、爪部５６の代わりに油圧ジャッキ５０の頭部５７上にボックスカルバート１６を載置する場合にも同様に適応できることは言うまでもない。
【００９４】
更に、上記の各実施の形態では、滑り材に接する平板は鉄板を用いているが、これに代えてステンレス板や硬質合成樹脂板等のある程度滑らかな面を有する板を用いても同様の効果を奏する。
【００９５】
更に、油圧ジャッキの支持体の代わりに角材等の支持材の上面を用いてボックスカルバート等を支持して、これを水平移動させても良い。すなわち、この出願において油圧ジャッキの支持体とは、これらの支持材を含むものである。
【図面の簡単な説明】
【図１】この発明の第１の実施の形態よるコンクリートブロックの設置方法の概略を示した図である。
【図２】図１で示したＩＩ−ＩＩラインの断面図である。
【図３】図２で示した“Ｘ”部分の拡大図である。
【図４】図３で示したＩＶ−ＩＶラインの断面図である。
【図５】この発明の第２の実施の形態によるコンクリートブロックの設置方法の概略構成を示した図である。
【図６】この発明の第３の実施の形態によるコンクリートブロックの設置方法の概略構成を示した図である。
【図７】この発明の第４の実施の形態によるコンクリートブロックの設置方法の概略構成を示した図である。
【図８】この発明の第５の実施の形態によるコンクリートブロックの設置方法の概略構成を示した図である。
【図９】従来のコンクリートブロックの設置方法の概略を示した図である。
【図１０】図９で示したＸ−Ｘラインの断面図である。
【図１１】図１０で示した“Ｙ”部分の拡大図である。
【図１２】この発明の第６の実施の形態によるコンクリートブロックの設置方法の概略構成を示した図である。
【図１３】この発明の第７の実施の形態によるコンクリートブロックの設置方法の概略構成を示した図である。
【図１４】この発明の第８の実施の形態によるコンクリートブロックの設置方法の概略構成を示した図である。
【図１５】この発明の第９の実施の形態によるコンクリートブロックの設置方法の概略構成を示した図である。
【図１６】この発明の第１０の実施の形態によるコンクリートブロックの設置方法の概略構成を示した図である。
【符号の説明】
１６…ボックスカルバート
１９…基礎コンクリート
２１，２５…平板
２２…滑り材
２６…ガイドプレート
３１…プレキャストコンクリートブロック
３３…高さ調整金具
３７…土台
３９…第１平板
４１…第２平板
４３…第１滑り材
４４…第２滑り材
５０…油圧ジャッキ
５５…支持体
５６…爪部
５７…頭部
５９…平板
尚、各図中同一符号は同一又は相当部分を示す。
【図１】
0003816024.tif 000002
【図２】
0003816024.tif 000003
【図３】
0003816024.tif 000004
【図４】
0003816024.tif 000005
【図５】
0003816024.tif 000006
【図６】
0003816024.tif 000007
【図７】
0003816024.tif 000008
【図８】
0003816024.tif 000009
【図９】
0003816024.tif 000010
【図１０】
0003816024.tif 000011
【図１１】
0003816024.tif 000012
【図１２】
0003816024.tif 000013
【図１３】
0003816024.tif 000014
【図１４】
0003816024.tif 000015
【図１５】
0003816024.tif 000016
【図１６】
0003816024.tif 000017